(57)【要約】【課題】リアルタイムに音声パケットの送受信を行うＩＰ電話機及びＩＰ電話機から構成されるＩＰ電話システムにおいて、音声劣化のなく留守録の用件メッセージを送信、録音し、用件メッセージの再生時には内容を正しく把握させる。【解決手段】ＩＰ電話機１００は、留守録ボタン１０４で留守設定されている場合に着呼があった時、呼制御部１０９で、発呼側の他のＩＰ電話機と、ＴＣＰプロトコルによって呼接続を確立し、応答メッセージ格納部１１２に格納された「用件録音要求」の応答メッセージを自動応答し、発呼側の他のＩＰ電話機からデータ欠落の生じないＴＣＰプロトコルにより用件メッセージを受信し、音質劣化のない用件メッセージを用件録音用メモリ１０８に録音する。【選択図】図１
2007215077.tif 000002
【特許請求の範囲】
【請求項１】
ＩＰネットワークを介して他のＩＰ電話端末と接続するＩＰ電話端末であって、
留守設定時に前記他のＩＰ電話端末から着信があったとき、前記他のＩＰ電話端末とＴＣＰプロトコルによって呼接続を確立して留守録を促す応答メッセージを送信し、
前記他のＩＰ電話端末からＴＣＰプロトコルによって用件メッセージを受信したとき、前記受信した用件メッセージをメモリに録音することを特徴とするＩＰ電話端末。
【請求項２】
ＩＰネットワークを介して他のＩＰ電話端末と接続するＩＰ電話端末であって、
留守設定時に前記他のＩＰ電話端末から着信があったとき、前記他のＩＰ電話端末とＲＴＰプロトコルによって呼接続を確立して留守録を促す応答メッセージを送信し、
前記応答メッセージの送信後に前記ＲＴＰプロトコルをＴＣＰプロトコルに切り替え、
前記他のＩＰ電話端末からＴＣＰプロトコルによって用件メッセージを受信してメモリに録音することを特徴とするＩＰ電話端末。
【請求項３】
ＩＰネットワークを介して他のＩＰ電話端末と接続するＩＰ電話端末であって、
留守設定された前記他のＩＰ電話端末に発信し、ＲＴＰプロトコルによって呼接続を確立し、
前記他のＩＰ電話端末から留守録を促す応答メッセージを受信したとき、前記ＲＴＰプロトコルをＴＣＰプロトコルに切り替えて、
前記他のＩＰ電話端末にＴＣＰプロトコルによって用件メッセージを送信し、
前記他のＩＰ電話端末には、前記用件メッセージをメモリに録音させることを特徴とするＩＰ電話端末。
【請求項４】
前記ＲＴＰプロトコルからＴＣＰプロトコルへの切り替えは、前記応答メッセージとともに送信される所定音を検出することにより切り替えることを特徴とする請求項３記載のＩＰ電話端末。
【請求項５】
前記他のＩＰ電話端末とＴＣＰプロトコルによる接続中にオフフックされた場合、前記ＴＣＰプロトコルをＲＴＰプロトコルに切り替えて音声パケットによる通話を行うことを特徴とする請求項１から３いずれか1項に記載のＩＰ電話端末。
【請求項６】
ＲＴＰプロトコルからＴＣＰプロトコルへ切り替えるための前記所定音は、前記所定音の周波数を識別することで検出することを特徴とする請求項４記載のＩＰ電話端末。
【請求項７】
ＩＰネットワークを介して接続されたＩＰ電話端末間で相互に音声パケットを送受信するＩＰ電話システムであって、
前記ＩＰ電話端末は、留守設定時に前記他のＩＰ電話端末から着信があったとき、前記他のＩＰ電話端末とＴＣＰプロトコルによって呼接続を確立して留守録を促す応答メッセージを送信し、
前記他のＩＰ電話端末からＴＣＰプロトコルによって用件メッセージを受信したとき、前記受信した用件メッセージをメモリに録音することを特徴とするＩＰ電話システム。
【請求項８】
ＩＰネットワークを介して接続されたＩＰ電話端末間で通話を行うＩＰ電話システムであって、
前記ＩＰ電話端末は、留守設定時に前記他のＩＰ電話端末から着信があったとき、前記他のＩＰ電話端末とＲＴＰプロトコルによって呼接続を確立して留守録を促す応答メッセージを送信し、
前記応答メッセージの送信後に前記ＲＴＰプロトコルをＴＣＰプロトコルに切り替え、
前記他のＩＰ電話端末からＴＣＰプロトコルによって用件メッセージを受信してメモリに録音することを特徴とするＩＰ電話システム。
【請求項９】
ＩＰネットワークを介して接続されたＩＰ電話端末間で通話を行うＩＰ電話システムであって、
前記ＩＰ電話端末は、留守設定された前記他のＩＰ電話端末に発信し、ＲＴＰプロトコルによって呼接続を確立し、
前記他のＩＰ電話端末から留守録を促す応答メッセージを受信したとき、前記ＲＴＰプロトコルをＴＣＰプロトコルに切り替えて、
前記他のＩＰ電話端末にＴＣＰプロトコルによって用件メッセージを送信し、
前記他のＩＰ電話端末には、前記用件メッセージをメモリに録音させることを特徴とするＩＰ電話システム。
【請求項１０】
前記ＲＴＰプロトコルからＴＣＰプロトコルへの切り替えは、前記応答メッセージとともに送信される所定音を検出することにより切り替えることを特徴とする請求項９記載のＩＰ電話システム。
【請求項１１】
前記他のＩＰ電話端末とＴＣＰプロトコルによる接続中にオフフックされた場合、前記ＴＣＰプロトコルをＲＴＰプロトコルに切り替えて音声パケットによる通話を行うことを特徴とする請求項７から９いずれか１項に記載のＩＰ電話システム。
【請求項１２】
ＲＴＰプロトコルからＴＣＰプロトコルへ切り替えるための前記所定音は、前記所定音の周波数を識別することで検出することを特徴とする請求項１０記載のＩＰ電話システム。
【発明の詳細な説明】
【技術分野】
【０００１】
本発明は、ＬＡＮやインターネット、ＩＰ通信網等のＩＰネットワークを介して、リアルタイムに音声パケットの送受信を行うＩＰ電話機、インターネット電話機における留守録に関するものである。
【背景技術】
【０００２】
近年、ブロードバンドの普及に伴い、インターネット、ＩＰ通信網などのＩＰネットワークを介しパケット化した音声を相手側の装置に送信するとともに、相手側の装置からパケット化した音声を受信するＩＰ電話機、インターネット電話機（以降、まとめて、ＩＰ電話機と呼ぶ）が実用化されている。
【０００３】
ＩＰ電話機では、データがパケット化されて、ＩＰネットワークを介して順次送信されるが、帯域保証がなされていないため、リアルタイムに送受信を行うとパケットロス（パケットの消失）が発生し、音声にとぎれが生じる。これはリアルタイム性を確保するため、再送の仕組みを具備しないＲＴＰプロトコルを用いることが本質的な要因となっており、パケットの消失を完全に解決することはできない。そのため、通話中は聞き取れなかった会話の内容は、通話中に、再度、伝えてもらう事で、音のとぎれによる会話の不便性を補うことになる。
【０００４】
しかしながら、留守録では録音された用件メッセージに音のとぎれがあった場合、補うことは不可能なので、用件メッセージの内容を正しく把握できない。
【０００５】
従来、ファクシミリ複合機において、呼制御プロトコルによる開始呼制御セッションで、相手と接続した後、送受信するデータの種別が音声や動画の場合はＲＴＰプロトコルを選択し、データの種別が画像、テキストデータの場合はＴＣＰプロトコルを選択して、データ通信の通信効率を向上させる技術が知られている（特許文献１参照）。
【特許文献１】特開２００５−３１１６２１号公報
【発明の開示】
【発明が解決しようとする課題】
【０００６】
しかしながら、上記の特許文献１に記載の技術では、送受信するデータの通信方式の選択は開始呼制御セッションにおける相手の通信能力を取得して、音声等の場合はＲＴＰプロトコルを使用、画像等の場合はＴＣＰプロトコルを使用とするため、利用者によって通信方式の選択をすることはできず、留守録においてパケットの消失により音声である用件メッセージを正しく伝えられない状況の発生の回避はできなかった。
【０００７】
本発明は、ＬＡＮやインターネット、ＩＰ通信網等のＩＰネットワークを介して、リアルタイムに音声パケットの送受信を行うＩＰ電話機及びＩＰ電話機から構成されるＩＰ電話システムにおいて、音声劣化のない留守録の用件メッセージを送信、録音し、用件メッセージの再生時には、用件メッセージの内容を正しく把握することのできるＩＰ電話端末を提供することを目的とする。
【課題を解決するための手段】
【０００８】
上記目的を達成するために、本発明は、ＩＰネットワークを介して他のＩＰ電話端末と接続するＩＰ電話端末であって、留守設定時に前記他のＩＰ電話端末から着信があったとき、
前記他のＩＰ電話端末とＴＣＰプロトコルによって呼接続を確立して留守録を促す応答メッセージを送信し、前記他のＩＰ電話端末からＴＣＰプロトコルによって用件メッセージを受信したとき、前記受信した用件メッセージをメモリに録音することを特徴とするＩＰ電話端末とした。
【発明の効果】
【０００９】
本発明によれば、留守設定時に他のＩＰ電話端末から着信があったとき、他のＩＰ電話端末とＴＣＰプロトコルによって呼接続し、留守録応答メッセージを送信し、他のＩＰ電話端末からＴＣＰプロトコルによる用件メッセージを受信することにより、用件メッセージはデータ欠落なく受信し、メモリに録音するので、用件メッセージの再生時には、用件メッセージには音質劣化はなく、内容を正しく把握できるという効果が得られる。
【発明を実施するための最良の形態】
【００１０】
本願の請求項１に記載の発明は、ＩＰネットワークを介して他のＩＰ電話端末と接続するＩＰ電話端末であって、留守設定時に前記他のＩＰ電話端末から着信があったとき、前記他のＩＰ電話端末とＴＣＰプロトコルによって呼接続を確立して留守録を促す応答メッセージを送信し、前記他のＩＰ電話端末からＴＣＰプロトコルによって用件メッセージを受信したとき、前記受信した用件メッセージをメモリに録音することを特徴とするＩＰ電話端末である。
【００１１】
これにより、用件メッセージはデータ欠落なく受信され、メモリに録音されるので、用件メッセージを再生するときは、用件メッセージに音質劣化はなく、用件メッセージの内容を正しく把握できるという効果を奏する。
【００１２】
また、本願の請求項２に記載の発明は、ＩＰネットワークを介して他のＩＰ電話端末と接続するＩＰ電話端末であって、留守設定時に前記他のＩＰ電話端末から着信があったとき、前記他のＩＰ電話端末とＲＴＰプロトコルによって呼接続を確立して留守録を促す応答メッセージを送信し、前記応答メッセージの送信後に前記ＲＴＰプロトコルをＴＣＰプロトコルに切り替え、前記他のＩＰ電話端末からＴＣＰプロトコルによって用件メッセージを受信してメモリに録音することを特徴とするＩＰ電話端末である。
【００１３】
これにより、応答メッセージの送信前、送信中でも、着信側ＩＰ電話端末の受話器をとった場合は、リアルタイム性を有する通話が可能であり、かつ、留守録の場合は、用件メッセージはデータ欠落なく受信、メモリに録音されるので、用件メッセージを再生するときは、用件メッセージに音質劣化はなく、用件メッセージの内容を正しく把握できるという効果を奏する。
【００１４】
また、本願の請求項３に記載の発明は、ＩＰネットワークを介して他のＩＰ電話端末と接続するＩＰ電話端末であって、留守設定された前記他のＩＰ電話端末に発信し、ＲＴＰプロトコルによって呼接続を確立し、前記他のＩＰ電話端末から留守録を促す応答メッセージを受信したとき、前記ＲＴＰプロトコルをＴＣＰプロトコルに切り替えて、前記他のＩＰ電話端末にＴＣＰプロトコルによって用件メッセージを送信し、前記他のＩＰ電話端末には、前記用件メッセージをメモリに録音させることを特徴とするＩＰ電話端末である。
【００１５】
これにより、応答メッセージの送信前、送信中でも、着信側ＩＰ電話端末の受話器をとった場合は。リアルタイム性を有する通話が可能であり、かつ、留守録の場合は、用件メッセージはデータ欠落なく受信、メモリに録音されるので、用件メッセージを再生するときは、用件メッセージに音質劣化はなく、用件メッセージの内容を正しく把握できるという効果を奏する。
【００１６】
また、本願の請求項４に記載の発明は、上記請求項３に記載の構成に加えて、前記ＲＴＰプロトコルからＴＣＰプロトコルへの切り替えは、前記応答メッセージとともに送信される所定音を検出することにより切り替えるものである。
【００１７】
これにより、上記請求項３に記載の効果に加えて、ＲＴＰプロトコルからＴＣＰプロトコルへの切り替えの判定を簡易に行えるという効果を奏する。
【００１８】
また、本願の請求項５に記載の発明は、上記請求項１から３いずれか１項の記載に加えて、前記他のＩＰ電話端末とＴＣＰプロトコルによる接続中にオフフックされた場合、前記ＴＣＰプロトコルをＲＴＰプロトコルに切り替えて音声パケットによる通話を行うものである。
【００１９】
これにより、上記請求項１から３いずれか１項に記載の効果に加えて、用件メッセージの送信中、着信側ＩＰ電話端末の受話器をとることにより、リアルタイム性を有する通話ができるという効果を奏する。
【００２０】
また、本願の請求項６に記載の発明は、上記請求項４の記載に加えて、ＲＴＰプロトコルからＴＣＰプロトコルへ切り替えるための前記所定音は、前記所定音の基調周波数を識別することで検出するものである。
【００２１】
これにより、上記請求項４に記載の効果に加えて、ＲＴＰプロトコルからＴＣＰプロトコルへの切り替えの判定を精度高く行えるという効果を奏する。
【００２２】
また、本願の請求項７に記載の発明は、ＩＰネットワークを介して接続されたＩＰ電話端末間で相互に音声パケットを送受信するＩＰ電話システムであって、前記ＩＰ電話端末は、留守設定時に前記他のＩＰ電話端末から着信があったとき、前記他のＩＰ電話端末とＴＣＰプロトコルによって呼接続を確立して留守録を促す応答メッセージを送信し、前記他のＩＰ電話端末からＴＣＰプロトコルによって用件メッセージを受信したとき、前記受信した用件メッセージをメモリに録音することを特徴とするＩＰ電話システムである。
【００２３】
これにより、用件メッセージはデータ欠落なく受信され、メモリに録音されるので、用件メッセージを再生するときは、用件メッセージに音質劣化はなく、用件メッセージの内容を正しく把握できるという効果を奏する。
【００２４】
また、本願の請求項８に記載の発明は、ＩＰネットワークを介して接続されたＩＰ電話端末間で通話を行うＩＰ電話システムであって、前記ＩＰ電話端末は、留守設定時に前記他のＩＰ電話端末から着信があったとき、前記他のＩＰ電話端末とＲＴＰプロトコルによって呼接続を確立して留守録を促す応答メッセージを送信し、前記応答メッセージの送信後に前記ＲＴＰプロトコルをＴＣＰプロトコルに切り替え、前記他のＩＰ電話端末からＴＣＰプロトコルによって用件メッセージを受信してメモリに録音することを特徴とするＩＰ電話システムである。
【００２５】
これにより、応答メッセージの送信前、送信中でも、着信側ＩＰ電話端末の受話器をとった場合は、リアルタイム性を有する通話が可能であり、かつ、留守録の場合は、用件メッセージはデータ欠落なく受信、メモリに録音されるので、用件メッセージを再生するときは、用件メッセージに音質劣化はなく、用件メッセージの内容を正しく把握できるという効果を奏する。
【００２６】
また、本願の請求項９に記載の発明は、ＩＰネットワークを介して接続されたＩＰ電話端末間で通話を行うＩＰ電話システムであって、前記ＩＰ電話端末は、留守設定された前記他のＩＰ電話端末に発信し、ＲＴＰプロトコルによって呼接続を確立し、前記他のＩＰ電話端末から留守録を促す応答メッセージを受信したとき、前記ＲＴＰプロトコルをＴＣＰプロトコルに切り替えて、前記他のＩＰ電話端末にＴＣＰプロトコルによって用件メッセージを送信し、前記他のＩＰ電話端末には、前記用件メッセージをメモリに録音させることを特徴とするＩＰ電話システムである。
【００２７】
これにより、応答メッセージの送信前、送信中でも、着信側ＩＰ電話端末の受話器をとった場合は、リアルタイム性を有する通話が可能であり、かつ、留守録の場合は、用件メッセージはデータ欠落なく受信、メモリに録音されるので、用件メッセージを再生するときは、用件メッセージに音質劣化はなく、用件メッセージの内容を正しく把握できるという効果を奏する。
【００２８】
また、本願の請求項１０に記載の発明は、上記請求項９に記載の構成に加えて、前記ＲＴＰプロトコルからＴＣＰプロトコルへの切り替えは、前記応答メッセージとともに送信される所定音を検出することにより切り替えるものである。
【００２９】
これにより、上記請求項９に記載の効果に加えて、ＲＴＰプロトコルからＴＣＰプロトコルへの切り替えの判定を簡易に行えるという効果を奏する。
【００３０】
また、本願の請求項１１に記載の発明は、上記請求項７から９いずれか１項の記載に加えて、前記他のＩＰ電話端末とＴＣＰプロトコルによる接続中にオフフックされた場合、
前記ＴＣＰプロトコルをＲＴＰプロトコルに切り替えて音声パケットによる通話を行うものである。
【００３１】
これにより、上記請求項７から９いずれか１項に記載の効果に加えて、用件メッセージの送信中、着信側ＩＰ電話端末の受話器をとることにより、リアルタイム性を有する通話ができるという効果を奏する。
【００３２】
また、本願の請求項１２に記載の発明は、上記請求項１０の記載に加えて、ＲＴＰプロトコルからＴＣＰプロトコルへ切り替えるための前記所定音は、前記所定音の基調周波数を識別することで検出するものである。
【００３３】
これにより、上記請求項４に記載の効果に加えて、ＲＴＰプロトコルからＴＣＰプロトコルへの切り替えの判定を精度高く行えるという効果を奏する。
【実施例】
【００３４】
以下、本発明の実施例におけるＩＰ電話機について、図面を参照しながら説明する。
（実施例１）
図１は、本発明の実施例１におけるＩＰ電話機１００のブロック図である。
【００３５】
ＩＰ電話機１００は、自分の音声を入力するマイク１０１と相手側ＩＰ電話機の音声を出力するスピーカ１０２からなる受話器１０３と、マイク１０１から音声を入力し、順次、音声パケット化して送信する送信部１０５と、ＩＰネットワークと接続し、パケットの送受信を行うネットワークインターフェース部１０６と、音声パケットの受信を行う受信部１０７と、ＩＰ電話の発呼、着呼の呼制御を行う呼制御部１１０と、ＩＰ電話機１００全体の制御を行う制御部１０９と、ダイヤル操作及び設定操作を行う操作部１１１とを備えて、ＩＰ電話機の基本機能とリアルタイム音声通信を実現する。
【００３６】
また、留守時には、利用者が操作部１１１にある留守録ボタン１０４を押下することにより、「留守設定」に設定することで、着呼があった場合、応答メッセージ格納部１１２に格納された用件録音を促す応答メッセージ及び録音開始音（「ピー」音）が送信部１０５から、ネットワークインターフェース部１０６を介して、発呼側ＩＰ電話機に自動応答される。相手側ＩＰ電話機から送信される発呼者の用件メッセージは、ネットワークインターフェース部１０６、受信部１０７を介して用件録音メモリ１０８に録音される。
【００３７】
さらに、応答メッセージの送信中、用件メッセージの受信中、に利用者が受話器１０３をとる（オフフック）と、呼制御部１１０は、相手側ＩＰ電話機と呼制御通信を行い、音声パケットをリアルタイムに送受信して、通話を実現する。
【００３８】
本実施例のＩＰ電話機の間で通話を構成するシステムを図２に示す。図２は、ＩＰ電話通信システム２００の構成図である。ＩＰ電話システム２００は、インターネット又はＩＰ通信網等のＩＰネットワーク２０１にＩＰ電話機１００、ＩＰ電話機１２０、ＩＰ電話サーバー２０２が接続されて構成され、ＩＰ電話機１００とＩＰ電話機１２０との間でＩＰ電話サーバー２０２を介して呼制御により通話が確立され、音声パケットの送受信が行われる。
ＩＰ電話機１２０の内部構成は、図１に示すＩＰ電話機１００の内部構成と同一である。
【００３９】
呼制御部１１０においては、ＩＥＴＦの標準規格である呼制御プロトコルＳＩＰ（ＲＦＣ３２６１）、セッション記述プロトコルＳＤＰ（ＲＦＣ２３２７、ＲＦＣ４１４５）による呼制御通信を行う。「留守設定」がされていて、用件メッセージを送受信する際は、ＳＤＰにＴＣＰの設定を搭載して呼制御通信することで、ＴＣＰプロトコルによるデータ欠落のない音声パケット通信により通話を実現する。
【００４０】
また、通話を行うときは、ＳＤＰにＲＴＰの設定を搭載して呼制御通信することで、リアルタイム性を有するＲＴＰ音声パケットの通話を実現する（ＲＦＣ２３２７）。
【００４１】
次に、ＩＰ電話機１００から「留守設定」されているＩＰ電話機１２０へ用件メッセージを送信し、ＩＰ電話機１００が用件メッセージを受信して録音し、用件メッセージの通信中に着呼側の利用者が受話器１０３をとる（オフフック）ことで通話に移行する動作について図３を参照して説明する。図３は、ＩＰ電話機１００、１２０の動作を示すシーケンス図である。
【００４２】
通話に先立って、ＩＰ電話機１００及びＩＰ電話機１２０は、電源投入時に、ＩＰ電話サーバー２０２にＲｅｇｉｓｔｅｒメッセージで登録を行う（図示省略）。
【００４３】
ＩＰ電話機１２０（着呼側）の利用者は、留守録ボタン１０４により、留守設定を行う（ステップＳ３０１）。
【００４４】
ＩＰ電話機１００（発呼側）の利用者がＩＰ電話機１２０（着呼側）にダイヤルするとＩＰ電話サーバー２０２を介してＳＩＰプロトコル（ＲＦＣ３２６１）による呼制御メッセージによる通信が開始され、ＩＮＶＩＴＥメッセージがＩＰ電話機１００からＩＰ電話機１２０に送信される（ステップＳ３０２）。ここではＩＮＶＩＴＥメッセージに含まれるＳＤＰには、ＴＣＰによる音声パケットの送信を設定するものとする。
【００４５】
ＩＰ電話機１２０からＩＰ電話機１００に呼び出し中を示すＲＩＮＧＩＮＧメッセージが応答される（ステップＳ３０３）。
【００４６】
ＩＰ電話機１２０は、「留守設定」されているので自動応答を行う（ステップＳ３０４）。
【００４７】
ＩＰ電話機１２０からＩＰ電話機１００に接続応答を示す２００  ＯＫが送信される（ステップＳ３０５）。ＩＰ電話機１００からＩＰ電話機１２０に２００  ＯＫへの応答としてＡＣＫが返信される（図示省略）。
【００４８】
ＩＰ電話機１２０は、ＩＰ電話機１００に「ただいま留守にしております。ご用件がある方は、ご用件をお話しください」等の応答メッセージと録音開始音（「ピー」音）をＴＣＰにより送信する（ステップＳ３０６）。
【００４９】
ＩＰ電話機１００では、利用者は、受話器１０３から用件の音声を入力し、用件メッセージをＴＣＰによって、データ欠落なく、ＩＰ電話機１２０に送信する（ステップＳ３０７）。ＲＴＰによる音声パケットの送受信はリアルタイム性を確保するため再送を行わないが、ＴＣＰによる音声パケットの送受信はパケットロスが発生した場合には再送を行うので確実に用件メッセージを相手に伝えることができる。
【００５０】
ＩＰ電話機１２０は、受信した用件メッセージを用件録音メモリ１０８に録音する。（ステップＳ３０８）
録音が終了し、呼接続が切断されると、通信は終了するが、用件メッセージの送信中に、ＩＰ電話機１２０の利用者が受話器１０３をとる（オフフック）と、ｒｅ−ＩＮＶＩＴＥメッセージがＩＰ電話機１００に送信される（ステップＳ３０９）。オフフックによりリアルタイムな通話が行われることが判断できるため、ｒｅ−ＩＮＶＩＴＥメッセージに含まれるＳＤＰには、ＲＴＰによる音声パケットの送信を設定する。
【００５１】
ＩＰ電話機１００からＩＰ電話機１２０にｒｅ−ＩＮＶＩＴＥへの応答を示す２００  ＯＫが送信される（ステップＳ３１０）。
【００５２】
ＩＰ電話機１２０からＩＰ電話機１００に２００  ＯＫへの応答としてＡＣＫが返信され、（図示省略）、ＩＰ電話機１００とＩＰ電話機１２０の間で、リアルタイム性を有するＲＴＰ音声パケットによる通話が確立する（ステップＳ３１１）。
【００５３】
通話が終了し、ＩＰ電話機１００の利用者が受話器を置く（オンフック）と、ＩＰ電話機１００からＩＰ電話機１２０に通話の切断を示すＢＹＥメッセージが送信される（ステップＳ３１２）。
【００５４】
ＩＰ電話機１２０からＩＰ電話機１００には、切断の応答を示す２００  ＯＫ応答が送信される（ステップＳ３１３）。
【００５５】
以上の動作により、ＩＰ電話機１２０の「留守設定」時、ＩＰ電話機１００からＩＰ電話機１２０に発呼してＴＣＰプロトコルにより用件メッセージを送信し、ＩＰ電話機１００は受信した用件メッセージを録音し、用件メッセージの通信中にＩＰ電話機１２０の利用者が受話器１０３をとる（オフフック）ことでＲＴＰプロトコルにより通話が行われる。
【００５６】
次に、ＩＰ電話機１００（発呼側）の動作について、図４のフロー図を参照して説明する。図４は、実施例１のＩＰ電話機１００（発呼側）のフロー図である。
【００５７】
ＩＰ電話機１００の利用者は、ＩＰ電話機１２０にダイヤルする（ステップＳ４０１）。
【００５８】
ＩＰ電話機１２０との間でＳＩＰプロトコル（ＳＤＰはＴＣＰを設定）による呼接続が確立する（ステップＳ４０２）。
【００５９】
ＩＰ電話機１２０から応答メッセージ及び録音開始音を受信する（ステップＳ４０３）。
【００６０】
利用者は、用件の入力を開始するとともに、用件メッセージをＴＣＰにより、データ欠落なく、ＩＰ電話機１２０に送信する（ステップＳ４０４）。
【００６１】
用件メッセージの送信中に、ＩＰ電話機１２０からＲＴＰによる呼接続の要求があるか判定する（ステップＳ４０５）。
【００６２】
ステップＳ４０５において、呼接続要求がない場合、用件メッセージの送信が終了したか判定する（ステップＳ４０６）。
【００６３】
ステップＳ４０６において、用件メッセージの送信が終了していない場合は、ステップＳ４０４に戻り、用件の入力と用件メッセージの送信を継続する。用件メッセージの送信が終了した場合は、後述するステップＳ４０９に移行する。
【００６４】
ステップＳ４０６において、呼接続要求がある場合、ＩＰ電話機１２０との間でＳＩＰプロトコル（ＳＤＰはＲＴＰを設定）による呼接続に切り替える（ステップＳ４０７）。
【００６５】
利用者は、ＩＰ電話機１２０の利用者とリアルタイム性を有するＲＴＰ音声パケットの通話を行う（ステップＳ４０８）。
【００６６】
通話が終了若しくは用件メッセージの送信が終了すると、利用者は、受話器を置く（オンフック）（ステップＳ４０９）。
【００６７】
ＩＰ電話機１２０と呼接続が切断される（ステップＳ４１０）。
【００６８】
次に、ＩＰ電話機１２０（着呼側）の動作について、図５のフロー図を参照して説明する。図５は、実施例１のＩＰ電話機１２０（着呼側）のフロー図である。
【００６９】
利用者は、留守録ボタン１０４によって「留守設定」を行う（ステップＳ５０１）。
【００７０】
ＩＰ電話機１００から、ＳＩＰプロトコル（ＳＤＰはＴＣＰを設定）による呼接続の要求を受信する（ステップＳ５０２）。
【００７１】
「留守設定」されているので着信に対して自動応答する（ステップＳ５０３）。
【００７２】
ＩＰ電話機１００とＳＩＰプロトコル（ＳＤＰはＴＣＰを設定）による呼接続を確立する（ステップＳ５０４）。
【００７３】
ＩＰ電話機１００に「ただいま留守にしております。ご用件がある方は、ご用件をお話しください」等の応答メッセージ及び録音開始音（「ピー」音）をＴＣＰにより、データ欠落なく、送信する（ステップＳ５０５）。
【００７４】
ＩＰ電話機１００からＴＣＰにより受信した用件メッセージを用件録音メモリ１０８に録音する。（ステップＳ５０６）。
【００７５】
用件メッセージの受信中に、利用者が受話器１０３をとったか（オフフック）どうか判定する（ステップＳ５０７）。
【００７６】
ステップＳ５０７で、利用者がオフフックしていない場合、用件メッセージの受信が終了したか判定する（ステップＳ５０８）。
【００７７】
ステップＳ５０８で、用件メッセージの受信が終了していない場合、ステップＳ５０６に戻り、用件メッセージの受信、録音を継続する。用件メッセージの受信が終了した場合、後述するステップＳ５１１に移行する。
【００７８】
ステップＳ５０７で、オフフックされた場合、ＩＰ電話機１００にＲＴＰによる呼接続要求を送信しＳＩＰプロトコル（ＳＤＰはＲＴＰを設定）による呼接続に切り替える（ステップＳ５０９）。
【００７９】
利用者は、ＩＰ電話機１００の利用者とリアルタイム性を有するＲＴＰ音声パケットの通話を行う（ステップＳ５１０）。
【００８０】
ＩＰ電話機１００との呼接続を切断する（ステップＳ５１１）。
【００８１】
なお、用件メッセージの受信中にオフフックした場合について説明したが、応答メッセージの送信中にオフフックされた場合も同様にＲＴＰへの切り替えを行う。
【００８２】
以上の動作によって、留守録の用件メッセージはデータ欠落のないＴＣＰにより、データ欠落のない送信がされ、音質劣化のない用件メッセージが留守設定された着呼側のＩＰ電話機１２０に録音され、利用者が、録音された用件メッセージを正しく把握することができる。
【００８３】
また、応答メッセージの送信中、用件メッセージの受信中に、着呼側のＩＰ電話機１２０がオフフックされたときは、直ちにＲＴＰによる呼制御に切り替えられ、リアルタイム性を有するＲＴＰ音声パケットによる通話ができる。
【００８４】
（実施例２）
実施例２は、実施例１と類似した構成のため、説明の便宜上、実施例１と共通する構成及び動作の詳細は省いて説明する。ＩＰ電話機の間で通話を構成するシステムは、図２に示す実施例１のＩＰ電話通信システムにおいて、ＩＰ電話機１００及びＩＰ電話機１２０を、それぞれ、ＩＰ電話機１３０及びＩＰ電話機１４０に置き換えて構成される（図示省略）。
【００８５】
図６は、ＩＰ電話機１３０のブロック図である。図１に示す実施例１のＩＰ電話機１００の構成との相違は録音開始音検知部６０１が追加されている点にある。録音開始音検知部６０１は、録音開始音「ピー」音の基調周波数を識別するバンドパスフィルタ（図示せず）を備え、録音開始音の検出を行う。
【００８６】
ＩＰ電話機１３０は、発呼時、相手側ＩＰ電話機１４０が「留守設定」され、ＩＰ電話機１４０からの応答メッセージ格納部１１２に格納された用件録音を促す応答メッセージ及び録音開始音（「ピー」音）を受信部１０７で受信すると、録音開始音検知部６０１は、バンドパスフィルタによって「ピー」音の基調周波数を識別することで、相手側ＩＰ電話機１４０の録音開始を検知し、検知したことを呼制御部１１０に通知する。呼制御部１１０では、検知の通知を受け、相手側ＩＰ電話機１４０とＳＩＰプロトコル（ＳＤＰはＴＣＰを設定）による呼接続に切替えを行う。
【００８７】
次に、ＩＰ電話機１４０が「留守設定」されている場合、ＩＰ電話機１３０からＩＰ電話機１４０へ用件メッセージを送信し、ＩＰ電話機１４０で受信した用件メッセージを録音し、さらに、用件メッセージの送信中に着呼側の利用者が受話器１０３をとる（オフフック）ことで通話に移行する動作について、図７を参照して説明する。図７は、ＩＰ電話機１３０、１４０の動作を示すシーケンス図である。
【００８８】
通話に先立って、ＩＰ電話機１３０及びＩＰ電話機１４０は、電源投入時に、ＩＰ電話サーバー２０２にＲｅｇｉｓｔｅｒメッセージで登録を行う（図示省略）。
【００８９】
ＩＰ電話機１４０（着呼側）の利用者は留守録ボタン１０４により、「留守設定」を行う（ステップＳ７０１）。
【００９０】
ＩＰ電話機１３０（発呼側）の利用者がＩＰ電話機１４０（着呼側）にダイヤルするとＩＰ電話サーバー２０２を介してＳＩＰプロトコル（ＲＦＣ３２６１）による呼制御メッセージによる通信が開始され、ＩＮＶＩＴＥメッセージがＩＰ電話機１３０からＩＰ電話機１４０に送信される（ステップＳ７０２）。ここではＩＮＶＩＴＥメッセージに含まれるＳＤＰにはＲＴＰによる音声パケットの送信を設定するものとする。
【００９１】
ＩＰ電話機１４０からＩＰ電話機１３０に呼び出し中を示すＲＩＮＧＩＮＧメッセージが応答される（ステップＳ７０３）。
【００９２】
ＩＰ電話機１４０は、「留守設定」されているので自動応答する（ステップＳ７０４）。
【００９３】
ＩＰ電話機１４０からＩＰ電話機１３０に接続応答を示す２００  ＯＫ応答が送信される（ステップＳ７０５）。ＩＰ電話機１３０からＩＰ電話機１４０に２００  ＯＫへの応答としてＡＣＫが返信される（図示省略）。
【００９４】
ＩＰ電話機１４０は、ＩＰ電話機１３０に「ただいま留守にしております。ご用件がある方は、ご用件をお話しください」等の応答メッセージと録音開始音（「ピー」音）をＲＴＰにより送信する（ステップＳ７０６）。呼制御により音声パケットの送受信はＲＴＰに設定されているので、応答メッセージの送信中であれば、ＩＰ電話機１４０の利用者のオフフックにより、リアルタイム性を有するＲＴＰ音声パケットの通話も可能である。
【００９５】
ＩＰ電話機１３０は、録音開始音検知部６０１で録音開始音（「ピー」音）の基調周波数をバンドパスフィルタで識別することで、ＩＰ電話機１４０が録音開始することを検知する（ステップＳ７０７）。そこで、ＩＰ電話機１３０は、用件メッセージをＴＣＰプロトコルによりパケットロスなく送信するために、現在のＲＴＰプロトコルをＴＣＰプロトコルに切り替える。そのため、ＩＰ電話機１３０からＩＰ電話機１４０にｒｅ−ＩＮＶＩＴＥメッセージが送信される。（ステップＳ７０８）ｒｅ−ＩＮＶＩＴＥメッセージに含まれるＳＤＰにはＴＣＰによる送信を設定する。
【００９６】
ＩＰ電話機１４０からＩＰ電話機１３０にｒｅ−ＩＮＶＩＴＥへの応答を示す２００  ＯＫが送信される（ステップＳ７０９）。
【００９７】
ＩＰ電話機１３０からＩＰ電話機１４０に２００  ＯＫへの応答としてＡＣＫが返信される（図示省略）。
【００９８】
ＩＰ電話機１３０では、利用者は、受話器１０３から用件の音声を入力し、用件メッセージをＴＣＰによって、ＩＰ電話機１４０に送信する（ステップＳ７１０）。
【００９９】
ＩＰ電話機１４０は、受信した用件メッセージを用件録音メモリ１０８に録音する。（ステップＳ７１１）
録音が終了し、呼接続が切断されると、通信は終了するが、用件メッセージの送信中に、ＩＰ電話機１４０の利用者が受話器１０３をとる（オフフック）と、ＲＴＰプロトコルに切り替えるためのｒｅ−ＩＮＶＩＴＥメッセージがＩＰ電話機１３０に送信される（ステップＳ７１２）。ｒｅ−ＩＮＶＩＴＥメッセージに含まれるＳＤＰには、ＲＴＰによる送信を設定する。
【０１００】
ＩＰ電話機１３０からＩＰ電話機１４０にｒｅ−ＩＮＶＩＴＥへの応答を示す２００  ＯＫが送信される（ステップＳ７１３）。
【０１０１】
ＩＰ電話機１４０からＩＰ電話機１３０に２００  ＯＫへの応答としてＡＣＫが返信され、（図示省略）、ＩＰ電話機１３０とＩＰ電話機１４０の間で、リアルタイム性を有するＲＴＰ音声パケットの通話が確立する（ステップＳ７１４）。
【０１０２】
通話が終了し、ＩＰ電話機１３０の利用者が受話器をおく（オンフック）と、ＩＰ電話機１３０からＩＰ電話機１４０に通話の切断を示すＢＹＥメッセージが送信される（ステップＳ７１５）。
【０１０３】
ＩＰ電話機１４０からＩＰ電話機１３０に、切断の応答を示す２００  ＯＫ応答が送信される（ステップＳ７１６）。
【０１０４】
以上の動作により、ＩＰ電話機１４０の「留守設定」時、ＩＰ電話機１３０からＩＰ電話機１４０にＴＣＰプロトコルにより確実に用件メッセージを送信し、用件メッセージの送信中にＩＰ電話機１４０の利用者が受話器１０３をとった（オフフック）場合は、直ちにＲＴＰプロトコルに切り替えてリアルタイムな通話が行われる。
【０１０５】
次に、ＩＰ電話機１３０（発呼側）の動作について、図８のフロー図を参照して説明する。図８は、ＩＰ電話機１３０（発呼側）のフロー図である。
【０１０６】
ＩＰ電話機１３０の利用者は、ＩＰ電話機１４０にダイヤルする（ステップＳ８０１）。
【０１０７】
ＩＰ電話機１４０との間でＳＩＰプロトコル（ＳＤＰはＲＴＰを設定）による呼接続が確立する（ステップＳ８０２）。
【０１０８】
ＩＰ電話機１４０から応答メッセージ及び録音開始音を受信する（ステップＳ８０３）。
【０１０９】
録音開始音検知部６０１は、録音開始音（「ピー」音）の基調周波数をバンドパスフィルタで識別することで、ＩＰ電話機１４０が録音開始することを検知する（ステップＳ８０４）。
【０１１０】
ＩＰ電話機１４０との間でＳＩＰプロトコル（ＳＤＰはＴＣＰを設定）による呼接続に切替える（ステップＳ８０５）。
【０１１１】
利用者は、用件の入力を開始するとともに、用件メッセージをＴＣＰにより、データ欠落なくＩＰ電話機１４０に送信する（ステップＳ８０６）。
【０１１２】
用件メッセージの送信中に、ＩＰ電話機１４０からＲＴＰによる呼接続の要求があるか判定する（ステップＳ８０７）。
【０１１３】
ステップＳ８０７において、呼接続要求がない場合、用件メッセージの送信が終了したか判定する（ステップＳ８０８）。
【０１１４】
ステップＳ８０８において、用件メッセージの送信が終了していない場合は、ステップＳ８０６に戻り、用件の入力と用件メッセージの送信を継続する。用件メッセージの送信が終了した場合は、後述するステップＳ８１１に移行する。
【０１１５】
ステップＳ８０７において、呼接続要求がある場合、ＩＰ電話機１４０との間でＳＩＰプロトコル（ＳＤＰはＲＴＰを設定）による呼接続に切替える（ステップＳ８０９）。
【０１１６】
利用者は、ＩＰ電話機１４０の利用者とリアルタイム性を有するＲＴＰ音声パケットの通話を行う（ステップＳ８１０）。
【０１１７】
通話が終了若しくは用件メッセージの送信が終了すると、利用者は、受話器を置く（オンフック）（ステップＳ８１１）。
【０１１８】
ＩＰ電話機１４０と呼接続が切断される（ステップＳ８１２）。
【０１１９】
次に、ＩＰ電話機１４０（着呼側）の動作について、図９のフロー図を参照して説明する。図９は、ＩＰ電話機１４０（着呼側）のフロー図である。
【０１２０】
利用者は、留守録ボタン１０４によって「留守設定」を行う（ステップＳ９０１）。
【０１２１】
ＩＰ電話機１３０から、ＳＩＰプロトコル（ＳＤＰはＲＴＰを設定）による呼接続の要求を受信する（ステップＳ９０２）。
【０１２２】
「留守設定」されているので着信に対して自動応答する（ステップＳ９０３）。
【０１２３】
ＩＰ電話機１３０とＳＩＰプロトコル（ＳＤＰはＲＴＰを設定）による呼接続を確立する（ステップＳ９０４）。
【０１２４】
ＩＰ電話機１３０に「ただいま留守にしております。ご用件がある方は、ご用件をお話しください」等の応答メッセージ及び録音開始音（「ピー」音）をＲＴＰにより送信する（ステップＳ９０５）。
【０１２５】
応答メッセージ及び録音開始音に対応し、ＩＰ電話機１３０の要求によって、ＩＰ電話機１３０とＳＩＰプロトコル（ＳＤＰはＴＣＰを設定）による呼接続に切替える（ステップＳ９０６）。
【０１２６】
ＩＰ電話機１３０からＴＣＰにより、データ欠落なく、受信した用件メッセージを用件録音メモリ１０８に録音する。（ステップＳ９０７）。
【０１２７】
用件メッセージの受信中に、利用者が受話器１０３をとったか（オフフック）どうか判定する（ステップＳ９０８）。
【０１２８】
ステップＳ９０８で、利用者がオフフックしていない場合、用件メッセージの受信が終了したか判定する（ステップＳ９０９）。
【０１２９】
ステップＳ９０９で、用件メッセージの受信が終了していない場合、ステップＳ９０７に戻り、用件メッセージの受信、録音を継続する。用件メッセージの受信が終了した場合、後述するステップＳ９１２に移行する。
【０１３０】
ステップＳ９０８で、オフフックされた場合、ＩＰ電話機１３０とＳＩＰプロトコル（ＳＤＰはＲＴＰを設定）による呼接続に切り替える（ステップＳ９１０）。
【０１３１】
利用者は、ＩＰ電話機１３０の利用者とリアルタイム性を有するＲＴＰ音声パケットの通話を行う（ステップＳ９１１）。
【０１３２】
ＩＰ電話機１３０との呼接続を切断する（ステップＳ９１２）。
【０１３３】
以上の動作によって、留守録の用件メッセージは、ＴＣＰにより、データ欠落のなく送信され、音質劣化のない用件メッセージが留守設定された着呼側のＩＰ電話機１４０の用件録音メモリ１０８に録音され、利用者が録音された用件メッセージを正しく把握することができる。
【０１３４】
また、用件メッセージの受信中、録音中に、着呼側のＩＰ電話機１４０がオフフックされたときは、直ちにＲＴＰによる呼制御に切り替えられ、リアルタイム性を有するＲＴＰ音声パケットによる通話が可能となる。さらに、実施例２では、録音開始音を検出した時点でＴＣＰに切り替えるので、応答メッセージ（ＲＴＰ）の送信前または送信途中であれば、ＩＰ電話機１４０の利用者のオフフックにより、呼接続を切り替えることなくリアルタイム性を有するＲＴＰ音声パケットの通話も可能となる。
【産業上の利用可能性】
【０１３５】
本発明のＩＰ電話端末及びＩＰ電話システムは、帯域保証のないインターネットまたはＩＰ通信網において、用件メッセージはＴＣＰによってデータ欠落なく送信、録音され、また、リアルタイム性を有するＲＴＰによって通話ができるので、留守録機能を備えたＩＰ電話端末及びそれを用いたシステムとして有用である。
【図面の簡単な説明】
【０１３６】
【図１】本発明の実施例１のＩＰ電話機のブロック図
【図２】本発明の実施例１及び実施例２のＩＰ電話通信システムの構成図
【図３】本発明の実施例１のＩＰ電話機の動作を示すシーケンス図
【図４】本発明の実施例１のＩＰ電話機（発呼側）のフロー図
【図５】本発明の実施例１のＩＰ電話機（着呼側）のフロー図
【図６】本発明の実施例２のＩＰ電話機のブロック図
【図７】本発明の実施例２のＩＰ電話機の動作を示すシーケンス図
【図８】本発明の実施例２のＩＰ電話機（発呼側）のフロー図
【図９】本発明の実施例２のＩＰ電話機（着呼側）のフロー図
【符号の説明】
【０１３７】
１００    ＩＰ電話機
１０１    マイク
１０２    スピーカ
１０３    受話器
１０５    送信部
１０７    受信部
１０８    用件録音メモリ
１１２    応答メッセージ格納部
１１０    呼制御部
１２０    ＩＰ電話機
１３０    ＩＰ電話機
１４０    ＩＰ電話機
２００    ＩＰ電話通信システム
２０２    ＩＰ電話サーバー
６０１    録音開始音検知部
【図１】
2007215077.tif 000003
【図２】
2007215077.tif 000004
【図３】
2007215077.tif 000005
【図４】
2007215077.tif 000006
【図５】
2007215077.tif 000007
【図６】
2007215077.tif 000008
【図７】
2007215077.tif 000009
【図８】
2007215077.tif 000010
【図９】
2007215077.tif 000011